(57)【要約】【課題】  より正確に画素の表示タイミングを合わせ、より鮮明な画像を表示させることが可能な表示制御装置及び表示制御方法等を提供する。【解決手段】  所定の画像情報を表示画面に表示させる表示制御装置であって、水平走査ラインにおける表示画面外の領域に相当する信号部分に前記画像情報に係る画素の表示タイミングを調整するための表示調整信号が重畳された信号を入力し、当該表示調整信号を複数箇所でサンプリングし、当該サンプリングされた複数の値に基づいて最適タイミングを検出する検出手段と、前記検出された最適タイミングに基づいて、前記画素の表示タイミングを調整する調整手段と、を備える。【選択図】  図１
2005173395.tif 000002
【特許請求の範囲】
【請求項１】
所定の画像情報を表示画面に表示させる表示制御装置であって、
水平走査ラインにおける表示画面外の領域に相当する信号部分に前記画像情報に係る画素の表示タイミングを調整するための表示調整信号が重畳された信号を入力し、当該表示調整信号を複数箇所でサンプリングし、当該サンプリングされた複数の値に基づいて最適タイミングを検出する検出手段と、
前記検出された最適タイミングに基づいて、前記画素の表示タイミングを調整する調整手段と、を備えることを特徴とする表示制御装置。
【請求項２】
請求項１に記載の表示制御装置において、
前記水平走査ラインにおける表示画面外の領域に相当する信号部分に前記表示調整信号を重畳して前記信号を出力する表示調整信号重畳手段を備えることを特徴とする表示制御装置。
【請求項３】
請求項２に記載の表示制御装置において、
前記調整手段は、前記表示調整信号が重畳された信号の出力タイミングを調整することを特徴とする表示制御装置。
【請求項４】
請求項１に記載の表示制御装置において、
前記調整手段は、前記画素の表示タイミングを規律するクロック信号の位相を調整することを特徴とする表示制御装置。
【請求項５】
請求項１に記載の表示制御装置において、
前記調整手段は、前記表示調整信号の基準点のタイミングと前記検出された最適タイミングとの位相差分だけ前記クロック信号の位相をシフトして調整することを特徴とする表示制御装置。
【請求項６】
請求項１に記載の表示制御装置において、
前記調整手段は、前記表示調整信号の基準点のタイミングと前記検出された最適タイミングとの位相差分だけ前記画素の表示タイミングをシフトして調整することを特徴とする表示制御装置。
【請求項７】
請求項１乃至６の何れか一項に記載の表示制御装置において、
前記検出手段は、前記表示調整信号を複数箇所でサンプリングし、当該サンプリングされた複数の値のうち、最大値又は最小値となるタイミングを前記最適タイミングとして検出することを特徴とする表示制御装置。
【請求項８】
請求項１乃至６の何れか一項に記載の表示制御装置において、
前記検出手段は、前記表示調整信号を複数箇所でサンプリングし、当該サンプリングされた複数の値のうち、最大値又は最小値となるタイミングを検出し、当該検出されたタイミングから予め定められたオフセット量分の位相をシフトさせたタイミングを前記最適タイミングとして検出することを特徴とする表示制御装置。
【請求項９】
請求項７又は８に記載の表示制御装置において、
前記表示調整信号は、ハイレベルとローレベルとが複数回繰り返される信号であり、
前記検出手段は、各前記ハイレベルの期間の少なくとも１箇所でサンプリングするものであって、前記各ハイレベルの期間毎のサンプリングタイミングを所定間隔ずらしてサンプリングを行うことを特徴とする表示制御装置。
【請求項１０】
請求項７又は８に記載の表示制御装置において、
前記表示調整信号は、ハイレベルとローレベルとが複数回繰り返される信号であり、
前記検出手段は、各前記ローレベルの期間の少なくとも１箇所でサンプリングするものであって、前記各ローレベルの期間毎のサンプリングタイミングを所定間隔ずらしてサンプリングを行うことを特徴とする表示制御装置。
【請求項１１】
請求項７又は８に記載の表示制御装置において、
前記表示調整信号は、１画面に対応する複数の水平走査ラインにおける前記信号部分に重畳され、
前記検出手段は、各前記表示調整信号の少なくとも１箇所でサンプリングするものであって、前記各表示調整信号毎のサンプリングタイミングを所定間隔ずらしてサンプリングを行うことを特徴とする表示制御装置。
【請求項１２】
請求項７又は８に記載の表示制御装置において、
前記表示調整信号は、前記画像情報に含まれる各色成分に対応する画像信号の全てに同期して重畳されるものであって、
前記検出手段は、各前記画像信号に重畳された前記表示調整信号を複数箇所でサンプリングし、前記画像信号毎に最大値又は最小値となるタイミングを前記最適タイミングとして検出することを特徴とする表示制御装置。
【請求項１３】
請求項７又は８に記載の表示制御装置において、
前記表示調整信号は、前記画像情報に含まれる各色成分に対応する画像信号の全てに同期して重畳されるものであって、
前記検出手段は、各前記画像信号に重畳された前記表示調整信号を複数箇所でサンプリングし、全ての前記画像信号においてサンプリングされた複数の値のうち、最大値又は最小値となるタイミングを前記最適タイミングとして検出することを特徴とする表示制御装置。
【請求項１４】
請求項７又は８に記載の表示制御装置において、
前記表示調整信号は、前記画像情報に含まれる各色成分に対応する画像信号の全てに同期して重畳されるものであって、
前記検出手段は、各前記画像信号に重畳された前記表示調整信号を複数箇所でサンプリングし、前記サンプリングされた複数の値のうち前記画像信号毎に最大値又は最小値を求め、求められた値の平均となるタイミングを前記最適タイミングとして検出することを特徴とする表示制御装置。
【請求項１５】
請求項１乃至６の何れか一項に記載の表示制御装置において、
前記表示調整信号は、同一間隔のハイレベルとローレベルとが複数回繰り返される信号であり、
前記検出手段は、各回において前記ハイレベルの期間の少なくとも１箇所とそれに続く前記ローレベルの期間における前記１箇所から決められた間隔離れた箇所をサンプリングするものであって、前記各回毎のサンプリングタイミングを所定間隔ずらしてサンプリングを行い、前記各回毎の前記ハイレベルの期間のサンプリング値と前記ローレベルの期間のサンプリング値との差分値を算出し、算出された複数の差分値のうち、最大値となるタイミングを前記最適タイミングとして検出することを特徴とする表示制御装置。
【請求項１６】
請求項１乃至６の何れか一項に記載の表示制御装置において、
前記表示調整信号は、１画面に対応する複数の水平走査ラインにおける前記信号部分に、１水平走査ライン毎に信号レベルが反転されて重畳されるものであり、
前記検出手段は、１の水平走査ラインにおける表示調整信号の少なくとも１箇所と次の水平走査ラインにおける表示調整信号の同じタイミングの箇所をサンプリングするものであって、２水平走査ライン毎にサンプリングタイミングを所定間隔ずらしてサンプリングを行い、前記表示調整信号のサンプリング値と、当該表示調整信号と信号レベルが反転する次の前記表示調整信号との差分値を複数回算出し、算出された複数の差分値のうち、最大値となるタイミングを前記最適タイミングとして検出することを特徴とする表示制御装置。
【請求項１７】
請求項１乃至１６の何れか一項に記載の表示制御装置において、
前記表示調整信号は、水平走査ラインにおける表示画面外の領域に相当する信号部分であって、かつ前記画像情報を表示可能な領域に相当する信号部分に重畳されることを特徴とする表示制御装置。
【請求項１８】
請求項１乃至１７の何れか一項に記載の表示制御装置において、
前記表示調整信号が重畳されるべき信号は、前記画像情報に含まれる色成分に対応する画像信号、輝度信号及び同期信号の少なくとも何れか一つであることを特徴とする表示制御装置。
【請求項１９】
請求項１乃至１８の何れか一項に記載の表示制御装置において、
前記表示調整信号は、方形波、サイン波、及び三角波の少なくとも何れか一つからなる信号であることを特徴とする表示制御装置。
【請求項２０】
請求項１乃至１８の何れか一項に記載の表示制御装置において、
前記表示調整信号は、描画ドットに同期する信号であることを特徴とする表示制御装置。
【請求項２１】
請求項１乃至１８の何れか一項に記載の表示制御装置において、
前記表示調整信号は、１表示画素に相当する信号であることを特徴とする表示制御装置。
【請求項２２】
所定の画像情報を表示画面に表示させる表示制御方法であって、
水平走査ラインにおける表示画面外の領域に相当する信号部分に前記画像情報に係る画素の表示タイミングを調整するための表示調整信号が重畳された信号を入力し、当該表示調整信号を少なくとも１箇所でサンプリングし、当該サンプリングされた値に基づいて最適タイミングを検出する検出工程と、
前記検出された最適タイミングに基づいて、前記画素の表示タイミングを調整する調整工程と、を備えることを特徴とする表示制御方法。
【請求項２３】
所定の画像情報を表示画面に表示させるコンピュータを、
水平走査ラインにおける表示画面外の領域に相当する信号部分に前記画像情報に係る画素の表示タイミングを調整するための表示調整信号が重畳された信号を入力し、当該表示調整信号を少なくとも１箇所でサンプリングし、当該サンプリングされた値に基づいて最適タイミングを検出し、
前記検出された最適タイミングに基づいて、前記画素の表示タイミングを調整するように機能させることを特徴とする表示制御プログラム。
【請求項２４】
請求項２３に記載の表示制御プログラムがコンピュータ読み取り可能に記録されていることを特徴とする記録媒体。
【発明の詳細な説明】
【技術分野】
【０００１】
所定の画像情報を表示画面に表示させる表示制御装置及び表示制御方法等の技術分野に関する。
【背景技術】
【０００２】
近年、モニタ、ディスプレイ等の表示部に表示される画像（映像）が高精細化している中で、表示部の表示能力を最大限に引き出すための一つの方法として、表示部の表示画素数と、画像情報を有する画像信号の画素数を一致させることが採られている。例えば、ナビゲーション装置においては、描画部より地図画像情報を有する画像信号を表示部の表示画素数に合わせて出力することで、当該画像信号の画素数と表示部の表示画素数とを合わせクリア（鮮明）な画像（絵）を提供している。
【０００３】
しかしながら、描画部からの画像信号の出力と、表示部への各画素の表示タイミングがずれると、ぼやけた画像が表示されるという問題が生じるため、従来は、専ら操作者が表示部に表示された画像を見ながら、手動操作により画素の表示タイミング等を変えて調整を行っていた。
【０００４】
一方、特許文献１には、表示部における各画素の表示タイミングを、これを規律する表示クロック信号に合致させ、画像のにじみやぼやけを防止できる表示装置が開示されている。具体的には、当該表示装置の映像生成部から出力される映像信号において、表示部の表示画面外で表示映像に寄与しない枠外領域に相当する垂直帰線期間内の所定の水平走査ライン中に、表示映像の各画素の表示タイミングを規律するための水平位置微調整信号が重畳される。そして、水平位置微調整信号（非方形波）のピーク値付近が基準電圧と比較（スレッシュホールド）され、波形成形されてハイ信号として出力され、そのハイ信号のタイミングに基づいて、表示クロック信号のタイミングが調整されるようになっている。
【特許文献１】特開２０００−１２２６２１号公報
【発明の開示】
【発明が解決しようとする課題】
【０００５】
しかしながら、このような従来の表示装置では、水平位置微調整信号のピーク値付近を検出するためにスレシュホールドするので、信号レベル低下等によりスレシュホールドレベルを超えられない場合には、水平位置微調整信号の検出をすることができないという問題が生じる。一方で、スレシュホールドレベルを下げると、水平位置微調整信号のピーク値がずれ、画素の表示タイミングがずれるという問題が生じる。また、重畳される水平位置微調整信号は、厳格に管理されなければスレシュホールドレベルとのずれが生じ、画素の表示タイミングがずれるという問題が生じる。
【０００６】
このような問題は、例えば伝送線路の長さの影響（例えば描画部と表示部との間のケーブルが延長されて長い場合）により信号遅延が発生したり、伝送線路の周波数特性が悪かったりした場合にも生じる。
【０００７】
そこで、このような問題の解消を一つの課題とし、より正確に画素の表示タイミングを合わせ、より鮮明な画像を表示させることが可能な表示制御装置及び表示制御方法等を提供することを目的する。
【課題を解決するための手段】
【０００８】
上記課題を解決するため、請求項１に記載の表示制御装置は、所定の画像情報を表示画面に表示させる表示制御装置であって、水平走査ラインにおける表示画面外の領域に相当する信号部分に前記画像情報に係る画素の表示タイミングを調整するための表示調整信号が重畳された信号を入力し、当該表示調整信号を複数箇所でサンプリングし、当該サンプリングされた複数の値に基づいて最適タイミングを検出する検出手段と、前記検出された最適タイミングに基づいて、前記画素の表示タイミングを調整する調整手段と、を備えることを特徴とする。
【０００９】
請求項２２に記載の表示制御方法は、所定の画像情報を表示画面に表示させる表示制御方法であって、水平走査ラインにおける表示画面外の領域に相当する信号部分に前記画像情報に係る画素の表示タイミングを調整するための表示調整信号が重畳された信号を入力し、当該表示調整信号を少なくとも１箇所でサンプリングし、当該サンプリングされた値に基づいて最適タイミングを検出する検出工程と、前記検出された最適タイミングに基づいて、前記画素の表示タイミングを調整する調整工程と、を備えることを特徴とする。
【００１０】
請求項２３に記載の表示制御プログラムは、所定の画像情報を表示画面に表示させるコンピュータを、水平走査ラインにおける表示画面外の領域に相当する信号部分に前記画像情報に係る画素の表示タイミングを調整するための表示調整信号が重畳された信号を入力し、当該表示調整信号を少なくとも１箇所でサンプリングし、当該サンプリングされた値に基づいて最適タイミングを検出し、前記検出された最適タイミングに基づいて、前記画素の表示タイミングを調整するように機能させることを特徴とする。
【００１１】
請求項２４に記載の記録媒体は、請求項２３に記載の表示制御プログラムがコンピュータ読み取り可能に記録されていることを特徴とする。
【発明を実施するための最良の形態】
【００１２】
以下、本願の最良の実施形態を添付図面に基づいて説明する。なお、以下に説明する実施の形態は、車載用ナビゲーション装置に対して本願を適用した場合の実施形態である。
【００１３】
（第１の実施形態）
先ず、図１等を参照して、本願の第１の実施形態における車載用ナビゲーション装置に含まれる表示制御装置の構成及び機能を説明する。
【００１４】
図１は、第１の実施形態にかかる車載用ナビゲーション装置に含まれる表示制御装置の概要ブロック例を示す図である。
【００１５】
図１に示すように、第１の実施形態にかかる表示制御装置ＳＸ１は、表示調整信号重畳手段の一例としての描画部１と、画像（映像）処理部２と、検出手段の一例としての検出判定部３と、調整手段の一例としてのタイミング調整部４ａを有する表示制御部４と、液晶ディスプレイ等の表示部５と、を備えて構成されている。
【００１６】
なお、車載用ナビゲーション装置には、ＧＰＳ（Global Positioning System）衛星から放送された電波を受信し現在の位置情報（緯度、経度）を検出するＧＰＳ受信部と、速度センサ，加速度センサ，ジャイロセンサ等を含むセンサ部と、運転者等からの操作指示を受け付ける操作部と、地図情報等の各種情報を記憶する記憶部と、ＧＰＳ受信部及びセンサ部にて検出された検出情報及び操作部にて受け付けられた運転者等からの指示情報等に基づき公知のナビゲーション（経路探索、マップマッチング等）を実行する制御部と、を備えているが図示を省略している。
【００１７】
描画部１は、車載用ナビゲーション装置の制御部から指示された地図情報を含む画像（映像）情報（表示部５の表示画面に表示すべき画像情報）を表示させるための信号、例えばＲＧＢの各色成分に対応する画像（映像）信号を生成する。この生成の際、描画部１は、当該画像信号のうち、例えば、Ｒ成分の画像信号の水平走査ラインにおける表示部５の表示画面外の領域に相当する信号部分であって、かつ上記画像情報を表示可能な領域に相当する信号部分に、上記画像情報の画素の表示タイミングを調整するための表示調整信号（例えば、方形波の信号）を重畳するようになっている。
【００１８】
ここで、表示部５の表示画面内外の領域と画像信号との関係を説明する。
【００１９】
図２は、表示部５の表示画面内外の領域と画像信号（例えば、Ｒ成分の画像信号）との関係の一例を示す概念図である。図２には、信号エリア５３、描画可能エリア５２、及び有効表示エリア５１が示されている。信号エリア５３内には、描画可能エリア５２及び有効表示エリア５１が含まれており、描画可能エリア５２には、有効表示エリア５１が含まれている。
【００２０】
有効表示エリア５１は、表示部５の表示画面の領域に相当し、実際に画像情報が表示される領域である。
【００２１】
描画可能エリア５２は、画像情報を表示することが可能な領域である。つまり、実際の表示画面の領域は有効表示エリア５１内であるので、有効表示エリア５１外かつ描画可能エリア５２内には画像情報は表示されないが、表示部５の表示画面の領域を大きくすることにより描画可能エリア５２までは画像情報を表示することができる。即ち、有効表示エリア５１外かつ描画可能エリア５２内は、表示画面外の領域に相当し、かつ画像情報を表示可能な領域に相当する。
【００２２】
そして、描画可能エリア５２外かつ信号エリア５３内は、表示画像に寄与しない領域（画像情報の表示不可能な領域）である。
【００２３】
一方、図２の信号エリア５３外上部に示す画像信号は、信号エリア５３、描画可能エリア５２、及び有効表示エリア５１の略中央を横切る水平走査ライン５４における信号の例である。縦方向（Ｙ方向）は、各画素の輝度の大きさを示している。この画像信号において、有効表示エリア５１に相当する信号部分には、各画素の信号６１が存在している。
【００２４】
また、この画像信号において、描画可能エリア５２に相当する信号部分には、各画素の信号６１と共に表示調整信号６２が存在している。つまり、ここでは、表示調整信号６２は、有効表示エリア５１外かつ描画可能エリア５２内に相当する信号部分に重畳されている。なお、描画可能エリア５２内は画像信号が生成される信号部分に相当するので、上記描画部１は、表示調整信号６２を重畳することができる。
【００２５】
また、この画像信号において、描画可能エリア５２外かつ信号エリア５３内に相当する信号部分には、各画素の信号６１と表示調整信号６２の何れも存在しておらず、この信号部分は、水平・垂直帰線期間を含むものである。
【００２６】
ここで、図２に示すように、各画素の信号６１と表示調整信号６２には、その立ち上がりがなだらかな、所謂なまりが生じている。これは、例えば伝送線路の長さの影響（例えば、車載用ナビゲーション装置においては、描画部１と画像処理部２との間や、画像処理部２と検出判定部３との間のケーブル長が１〜６ｍと、長くなる場合がある）、伝送線路の周波数特性の影響等により生じる。
【００２７】
上記のように生成された画像信号は、同期信号と共に画像処理部２に出力されることになる。
【００２８】
画像処理部２は、描画部１からのＲＧＢの各色成分に対応する画像信号に対し公知の画像（映像）処理（例えば、輝度調整、コントラスト調整など）を施し、検出判定部３に出力する。また、画像処理部２は、描画部１からの同期信号を水平同期信号と垂直同期信号に分離して表示制御部４に出力する。なお、水平同期信号は、描画可能エリア５２外かつ信号エリア５３内における、水平走査ライン５４を含む全ての水平走査ラインの始点において与えられ、垂直同期信号は、描画可能エリア５２外かつ信号エリア５３内における上端点に与えられる。
【００２９】
検出判定部３は、画像処理部２からの画像信号を表示制御部４に出力すると共に、所定のサンプリングタイミングに基づき上記画像信号に重畳された表示調整信号６２を複数箇所でサンプリングし、当該サンプリングされた複数の値に基づいて最適タイミングを検出するようになっている。この最適タイミングを検出する方法については種々あるが、詳細については後述する。
【００３０】
表示制御部４は、入力された画像信号、水平同期信号、垂直同期信号、及び各種タイミング制御信号を表示部５に出力すると共に、上記画像情報に係る画素の表示タイミングを規律するクロック信号を生成して表示部５に出力する（つまり、表示制御部４は、上記画像情報を表示部５の表示画面に表示させる）。この際、表示制御部４のタイミング（ドットクロックタイミング）調整部４ａは、上記検出された最適タイミング（ドットクロック位相調整信号）に基づいて画像情報に係る各画素の表示タイミングを調整する。
【００３１】
表示部５は、表示画面を有する液晶パネル、水平ドライバ及び垂直ドライバを備えており、水平ドライバ及び垂直ドライバによりクロック信号に同期して、例えば液晶パネル上の各ラインの画素を駆動制御し、画像信号に含まれる画像情報に係る各画素の表示を行う。
【００３２】
次に、図３等を参照して、上記のように構成された表示制御装置ＳＸ１の動作について、実施例１〜４に分けて説明する。図３は、表示制御装置ＳＸ１における処理の流れを示すフローチャートである（実施例１〜４に共通）。
【００３３】
（実施例１）
図３において、描画部１は、車載用ナビゲーション装置における制御部（図示せず）の指示に従い、地図情報を含む画像情報を、例えばＲＧＢの各色成分に対応する画像信号として生成すると共に、当該画像信号のうち、例えば、Ｒ成分の画像信号の水平走査ライン５４における表示部５の表示画面外の領域に相当する信号部分であって、かつ上記画像情報が表示可能な領域に相当する信号部分に、表示調整信号（例えば、方形波の信号）６２を重畳して（ステップＳ１）、当該画像信号を同期信号と共に画像処理部２に出力する。
【００３４】
ここで、描画部１は、予め表示部５における有効表示エリア５１の範囲（例えば、４８０×２３４ドット）を認識しており、従って、有効表示エリア５１外かつ描画可能エリア５２内に相当する画像信号の信号部分に表示調整信号６２を重畳することができる。
【００３５】
また、表示調整信号６２は、表示画素（表示画面上における点）に同期する信号であり、本実施形態においては、１描画ドットが１表示画素で構成される場合の例を示しているので、表示調整信号６２は１表示画素に相当する信号であるが、例えば、１描画ドットが２表示画素で構成される場合には、表示調整信号６２は、２表示画素に相当する信号となる。
【００３６】
次いで、画像処理部２は、描画部１からの画像信号及び同期信号を入力し、画像信号に対し公知の画像処理を施し（ステップＳ２）、検出判定部３に出力すると共に、同期信号を水平同期信号と垂直同期信号に分離して表示制御部４に出力する。
【００３７】
次いで、検出判定部３は、画像処理部２からの画像信号を入力し、表示制御部４に出力すると共に、上記画像信号に重畳された表示調整信号６２を複数箇所でサンプリングし（ステップＳ３）、そのサンプリングされた複数の値のうち、例えば最大値となるタイミングを上記最適タイミングとして検出し（ステップＳ４）、その最適タイミングを示すドットクロック位相調整信号を表示制御部４に出力する。
【００３８】
図４は、実施例１において、表示調整信号のサンプリングタイミング及び最適タイミングの一例を示す図である。図４に示すように、表示調整信号６２は、当該表示調整信号６２の時間幅より短いサンプリング間隔（時間）でサンプリングされることになる。図４の例では、サンプリングされた５つの値のうち、最大値となる「Ｇ」のタイミングが最適タイミングとして検出されることになる。このサンプリング間隔は、固定であってもよいし、適宜、操作部等より設定可能にしてもよい。
【００３９】
なお、この例では、最大値を有する表示調整信号６２が検出判定部３に入力されるように構成したため、サンプリングされた複数の値のうち最大値となるタイミングが最適タイミングとして検出されるように構成したが、例えば、最小値を有する表示調整信号が検出判定部３に入力されるように構成する場合（例えば、表示調整信号６２がインバータ等により反転される場合や、そもそも表示調整信号６２の反転した信号が重畳される場合等）には、サンプリングされた複数の値のうち最小値となるタイミングが最適タイミングとして検出されるように構成する。
【００４０】
次いで、表示制御部４は、画像処理部２及び検出判定部３からの画像信号、水平同期信号、及び垂直同期信号等を入力しこれらの信号を表示部５に出力すると共に、タイミング調整部４ａにより、検出判定部３からのクロック位相調整信号に基づいて、クロック信号が各画素の信号６１の最大となるタイミングと同期するように、当該クロック信号の位相を調整（ステップＳ５）して表示部５に出力する。
【００４１】
より具体的には、タイミング調整部４ａは、クロック信号が結果として各画素の信号６１の最大となるタイミング（より最適な画素の輝度が現れるタイミング）と同期するように、クロック信号の位相を調整する。
【００４２】
つまり、各画素の信号６１と表示調整信号６２は、例えば伝送線路の長さや伝送線路の周波数特性の影響等を同じように受けるので、両信号に同じようななまりが生じ、しかも、各画素の信号６１と表示調整信号６２との時間幅は同じであるので、必然的に、両信号の立上りから振幅が最大となるタイミングがほぼ同じとなると考えられるので、表示調整信号６２が最大となるタイミングを基準とすれば、各画素の信号６１の最大となるタイミングにクロック信号が同期するように調整することできるのである。
【００４３】
こうして、表示部５には、画像信号に含まれる画像情報に係る各画素の信号６１が最大となるタイミングに同期してクロック信号が与えられ、水平ドライバ及び垂直ドライバにより液晶パネル上の各ラインの画素が駆動制御され、液晶パネル上の表示画面により鮮明な画像情報が表示されることになる。
【００４４】
図５は、実施例１において、画像信号とクロック信号の位相関係の一例を示す概念図である。図５において、（Ａ）に示す信号は、描画部１から出力された直後の各画素の信号６１及び表示調整信号６２を示し、（Ｂ）に示す信号は、表示制御部４に入力される直前の各画素の信号６１及び表示調整信号６２を示し、（Ｃ）に示す信号は、タイミング調整部４ａにより位相調整がされない場合のクロック信号を示し、（Ｄ）に示す信号は、タイミング調整部４ａにより位相調整がされた場合のクロック信号を示している。
【００４５】
図５に示すように、描画部１から出力された直後の各画素の信号６１及び表示調整信号６２には、なまり等がなくそのピークが平坦になっているが、表示制御部４に入力される直前の各画素の信号６１及び表示調整信号６２には、例えば伝送線路の長さや伝送線路の周波数特性の影響等により、なまり及び遅延が生じている。例えば、（Ａ）に示す表示調整信号６２の中心点Ｔを当該表示調整信号６２の基準点とすれば、当該基準点Ｔと、（Ｂ）に示す表示調整信号６２の最大点Ｍとの位相差（ずれ）はΔＴに相当し、このことは、各画素の信号６１についても同様である。
【００４６】
そして、位相調整がされない場合のクロック信号は、描画部１から出力された直後の各画素の信号６１の最大となるタイミングには同期しているが、表示制御部４に入力される直前の各画素の信号６１の最大となるタイミングには同期していない。しかし、位相調整がされた場合のクロック信号は、表示制御部４に入力される直前の各画素の信号６１の最大となるタイミングに同期している。つまり、図５（Ｃ）に示す調整前のクロック信号は、上記位相差（表示調整信号の基準点のタイミングと、検出された最適タイミングとの位相差）分に相当するΔＴ分だけその位相がシフト（ずら）されて、図５（Ｄ）に示すように調整されることになる（言い換えれば、画素の表示タイミングがシフトされて調整される）。
【００４７】
以上説明したように、上記実施例１によれば、画像信号に重畳された表示調整信号を複数箇所でサンプリングし、そのサンプリングされた複数の値のうち、最大値又は最小値となる最適タイミングを検出して、その最適タイミングに基づいて画像情報に係る各画素の表示タイミングを調整するように構成したので、例えば伝送線路の長さの影響や、伝送線路の周波数特性の影響等により、画像信号に遅延や、なまり等が生じても、描画部１からの画像信号の出力と表示部への各画素の表示タイミングをより正確に合わせる（一致させる）ことができ、より鮮明な画像を表示させることができる。また、描画ドットの同期する１パルスの表示調整信号の複数箇所でサンプリングを行うことで、より精度の良い最適タイミングを検出することができる。
【００４８】
（実施例２）
上記実施例１は、検出判定部３が、サンプリングされた複数の値のうち、最大値又は最小値となるタイミングを最適タイミングとして検出する場合の例であったが、実施例２は、検出判定部３が、最大値又は最小値となるタイミングから予め定められたオフセット量分の位相をシフトさせたタイミングを最適タイミングとして検出する場合の例である。
【００４９】
このようにオフセット量分の位相をシフトさせたタイミングを最適タイミングとするのは、例えば、（ｉ）表示制御部４と表示部５との間で画像信号のディレイ（遅れ）が発生する場合、（ii）表示部５等で画像信号を一旦メモリ等へ取り込みを行っている場合に画像信号のディレイが発生する場合、（iii）最大値又は最小値となるタイミングが隣の画素近傍で表示制御部４にジッタ量がある場合等に、検出された最大値又は最小値となるタイミングを最適タイミングとすることが妥当でない場合があるからである。
【００５０】
かかるオフセット量は、上記（ｉ）から（iii）等の場合が考慮され、装置によって最適な値となるように設定されることになり、プラスのオフセット量となる場合もあるし、マイナスのオフセット量になる場合もある。
【００５１】
この実施例２での表示制御装置ＳＸ１における処理でも図５に示す処理が適用されるが、図３に示すステップＳ１〜Ｓ３の処理は実施例１と同様であるので、重複した説明を省略する。
【００５２】
実施例２におけるステップＳ４では、検出判定部３は、サンプリングされた複数の値のうち、最大値（又は最小値）となるタイミングを検出し、当該検出されたタイミングから予め定められたオフセット量分の位相をシフトさせたタイミングを最適タイミングとして検出し、その最適タイミングを示すドットクロック位相調整信号を表示制御部４に出力する。
【００５３】
図６は、実施例２において、表示調整信号のサンプリングタイミング及び最適タイミングの一例を示す図である。図６の例では、サンプリングされた５つの値のうち、最大値となる「Ｇ」のタイミングからオフセット量分シフトされたタイミングＧＸが、最適タイミングとして検出されることになる。なお、サンプリング間隔は、固定であってもよいし、適宜、操作部等より設定可能にしてもよい。
【００５４】
次いで、ステップＳ５では、表示制御部４は、画像処理部２及び検出判定部３からの画像信号、水平同期信号、及び垂直同期信号を入力しこれらの信号を表示部５に出力すると共に、タイミング調整部４ａにより、検出判定部３からのクロック位相調整信号に基づいて、クロック信号が各画素の信号６１の最大となるタイミングからオフセット量分シフトされたタイミングと同期するように、当該クロック信号の位相を調整して表示部５に出力する。
【００５５】
図７は、実施例２において、画像信号とクロック信号の位相関係の一例を示す概念図である。図７おいて、図５と同様、（Ａ）に示す信号は、描画部１から出力された直後の画像信号（各画素の信号６１ａ及び表示調整信号６２ａ）を示し、（Ｂ）に示す信号は、表示制御部４に入力される直前の画像信号（各画素の信号６１ａ及び表示調整信号６２ａ）を示し、（Ｃ）に示す信号は、タイミング調整部４ａにより位相調整がされない場合のクロック信号を示し、（Ｄ）に示す信号は、タイミング調整部４ａにより位相調整がされた場合のクロック信号を示している。
【００５６】
実施例２においては、図７に示すように、例えば、（Ａ）に示す表示調整信号６２ａの中心点Ｔを当該表示調整信号６２ａの基準点とすれば、（Ｃ）に示す調整前のクロック信号は、当該基準点Ｔと、（Ｂ）に示す表示調整信号６２ａの最大点Ｍからオフセット量ΔＴ１シフトされた最適点ＭＸとの位相差ΔＴ分だけ、その位相がシフトされて、（Ｄ）に示すように調整されることになる。
【００５７】
以上説明したように、上記実施例２によれば、画像信号に重畳された表示調整信号を複数箇所でサンプリングし、そのサンプリングされた複数の値のうち、最大値又は最小値となるタイミングを検出し、当該検出されたタイミングから予め定められたオフセット量分の位相をシフトさせたタイミングを最適タイミングとして検出し、その最適タイミングに基づいて画像情報に係る各画素の表示タイミングを調整するように構成したので、例えば伝送線路の長さの影響や、伝送線路の周波数特性の影響等により、画像信号に遅延や、なまり等が生じ、更に、上記（ｉ）から（iii）等の場合の影響で上記最大値又は最小値となるタイミングを最適タイミングとすることが妥当でない場合（例えば、上記のように表示制御部４にジッタ量がある場合にクロック信号による表示サンプリングが隣の画素をサンプリングしてしまう場合）にも、描画部１からの画像信号の出力と表示部への各画素の表示タイミングをより正確に合わせることができ、より鮮明な画像を表示させることができる。
【００５８】
なお、実施例２の構成において、上記オフセット量を「０」にすれば、上記実施例１における構成と等価となる。
【００５９】
（実施例３）
上記実施例１及び２は、検出判定部３が、表示調整信号である１パルスの信号の複数箇所でサンプリングし、そのサンプリングされた複数の値に基づいて最適タイミングを検出する場合の例であったが、実施例３は、検出判定部３が、複数パルスの信号のそれぞれの箇所でサンプリングし、そのサンプリングされた複数の値に基づいて最適タイミングを検出する場合の例である。
【００６０】
この実施例３での表示制御装置ＳＸ１における処理でも図３に示す処理が適用される。
【００６１】
実施例３におけるステップＳ１では、描画部１は、生成した画像信号のうち、例えば、Ｒ成分の画像信号の水平走査ラインにおける表示部５の表示画面外の領域に相当する信号部分であって、かつ上記画像情報が表示可能な領域に相当する信号部分に、ハイレベルとローレベルとが複数回繰り返される表示調整信号を重畳して、当該画像信号を同期信号と共に画像処理部２に出力する。言い換えれば、実施例１及び２における１パルスの信号の表示調整信号（実施例１及び２と同様、描画ドットに同期する信号、例えば、１表示画素に相当する信号）が複数重畳される。
【００６２】
次いで、ステップＳ２では実施例１と同様の処理が行われ、ステップＳ３では、検出判定部３は、画像処理部２からの画像信号を入力し、表示制御部４に出力すると共に、上記画像信号に重畳された表示調整信号のうち、各ハイレベルの期間の少なくとも１箇所でサンプリングするものであって、各ハイレベルの期間毎のサンプリングタイミングを所定間隔（例えば、実施例１における図４に示すサンプリング間隔）ずらしてサンプリングを行う。
【００６３】
なお、例えば、表示調整信号がインバータ等により反転される場合や、そもそも表示調整信号の反転した信号が重畳される場合等には、検出判定部３は、表示調整信号のうち、各ローレベルの期間の少なくとも１箇所でサンプリングするものであって、各ローレベルの期間毎のサンプリングタイミングを所定間隔ずらしてサンプリングを行うことになる。
【００６４】
そして、ステップＳ４では、検出判定部３は、実施例１と同様に、サンプリングされた複数の値のうち、最大値又は最小値となるタイミングを最適タイミングとして検出し、その最適タイミングを示すドットクロック位相調整信号を表示制御部４に出力する。
【００６５】
なお、検出判定部３は、実施例２と同様に、サンプリングされた複数の値のうち、最大値又は最小値となるタイミングを検出し、当該検出されたタイミングから予め定められたオフセット量分の位相をシフトさせたタイミングを最適タイミングとして検出するように構成してもよい。
【００６６】
図８は、実施例３において、表示調整信号のサンプリングタイミング及び最適タイミングの一例を示す図である。なお、図８において、なまりが生じていない表示調整信号６２ｂを示しているが、実際には、図４等に示す表示調整信号と同様になまりが生じていることになる。
【００６７】
図８の例では、ハイレベルとローレベルとが５回繰り返される表示調整信号６２ｂのうち、各ハイレベルの期間の１箇所がサンプリングポイントになっており、各ハイレベルの期間毎のサンプリングタイミングは、所定間隔ずれており、例えば、４番目のハイレベルにおけるサンプリングタイミングＧが、最大値となるタイミングとして検出されることになる。このことは、１パルスの表示調整信号を複数箇所でサンプリングして最大値となるタイミングを検出することと等価である。
【００６８】
なお、実施例３におけるステップＳ５の処理は実施例１又は２と同様であるので、重複した説明を省略する。
【００６９】
この他の例として、例えば、描画部１は、上記ステップＳ１において、生成した画像信号のうち、例えば、Ｒ成分の画像信号の１画面に対応する複数の水平走査ラインにおける信号部分であって、かつ上記画像情報が表示可能な領域に相当する信号部分に、複数の表示調整信号（例えば、１表示画素に相当する信号）を重畳し、ステップＳ３において、検出判定部３は、上記画像信号の複数の水平走査ラインにおける信号部分に重畳された各表示調整信号の少なくとも１箇所でサンプリングするものであって、各表示調整信号毎のサンプリングタイミングを所定間隔ΔＴＳずらしてサンプリングを行うように構成してもよい。この所定間隔ΔＴＳは、固定であってもよいし、適宜、操作部等より設定可能にしてもよい。
【００７０】
図９は、実施例３において、表示調整信号のサンプリングタイミング及び最適タイミングのもう一つの例を示す図である。なお、図９において、なまりが生じていない表示調整信号６２ｃを示しているが、実際には、図４等に示す表示調整信号と同様になまりが生じていることになる。
【００７１】
図９の例では、５つの水平走査ラインにおける信号部分に重畳されたそれぞれの表示調整信号６２ｃの１箇所がサンプリングポイントになっており、各表示調整信号毎のサンプリングタイミングは、所定間隔ΔＴＳずれており、例えば、４番目の表示調整信号６２ｃにおけるサンプリングタイミングＧが、最大値となるタイミングとして検出されることになる。このことは、１パルスの表示調整信号を複数箇所でサンプリングして最大値となるタイミングを検出することと等価である。
【００７２】
以上説明したように、上記実施例３によれば、実施例１及び２の１表示画素相当の表示調整信号の複数箇所でサンプリングを行う（短い間隔でサンプリングを行う）代わりに、複数の表示調整信号の少なくとも１箇所づつ、サンプリングタイミングをずらしながらサンプリングを行い（長い間隔でサンプリングを行う）、そのサンプリングされた複数の値に基づいて最適タイミングとして検出し、その最適タイミングに基づいて画像情報に係る各画素の表示タイミングを調整するように構成したので、描画部１からの画像信号の出力と表示部への各画素の表示タイミングをより正確に合わせることができ、より鮮明な画像を表示させることができると共に、サンプリング間隔を長くしたり、サンプリング回数を多くすることができ、検出判定部３等の負荷低減等を図ることができる。
【００７３】
（実施例４）
上記実施例１乃至３は、検出判定部３が、サンプリングされた複数の値うち、先ずは最大値又は最小値となるタイミングを検出し、それに基づいて最適タイミングを検出する場合の例であったが、実施例４は、検出判定部３が、表示調整信号に係る同一間隔のハイレベルとローレベルの期間のそれぞれの箇所でサンプリングし、ハイレベルの期間のサンプリング値とローレベルの期間のサンプリング値との差分値を算出し、算出された複数の差分値のうち、最大値となるタイミングを最適タイミングとして検出する場合の例である。
【００７４】
この実施例４での表示制御装置ＳＸ１における処理でも図５に示す処理が適用される。
【００７５】
実施例４におけるステップＳ１では、描画部１は、生成した画像信号のうち、例えば、Ｒ成分の画像信号の水平走査ラインにおける表示部５の表示画面外の領域に相当する信号部分であって、かつ上記画像情報が表示可能な領域に相当する信号部分に、同一間隔のハイレベルとローレベルとが複数回繰り返される表示調整信号を重畳して、当該画像信号を同期信号と共に画像処理部２に出力する。言い換えれば、実施例１及び２における１パルスの信号の表示調整信号（実施例１及び２と同様、描画ドットに同期する信号、例えば、１表示画素に相当する信号）が複数重畳される。
【００７６】
次いで、ステップＳ２では実施例１と同様の処理が行われ、ステップＳ３では、検出判定部３は、画像処理部２からの画像信号を入力し、表示制御部４に出力すると共に、複数回繰り返されるハイレベルとローレベルの各回（ハイレベルとローレベルの１組で１回）において、ハイレベルの期間の少なくとも１箇所とそれに続くローレベルの期間における該１箇所からある決められた（予め設定された）間隔離れた箇所をサンプリングするものであって、各回毎のサンプリングタイミングを所定間隔（例えば、実施例１における図４に示すサンプリング間隔）ずらしてサンプリングを行う。
【００７７】
そして、ステップＳ４では、検出判定部３は、各回毎のハイレベルの期間のサンプリング値とローレベルの期間のサンプリング値との差分値を算出し、算出された複数の差分値のうち、最大値（コントラストが最大）となるタイミングを最適タイミングとして検出し、その最適タイミングを示すドットクロック位相調整信号を表示制御部４に出力する。
【００７８】
なお、検出判定部３は、実施例２と同様に、算出された複数の差分値のうち、最大値となるタイミングを検出し、当該検出されたタイミングから予め定められたオフセット量分の位相をシフトさせたタイミングを最適タイミングとして検出するように構成してもよい。
【００７９】
図１０は、実施例４において、表示調整信号のサンプリングタイミング及び最適タイミングの一例を示す図である。なお、図１０において、なまりが生じていない表示調整信号６２ｄを示しているが、実際には、図４等に示す表示調整信号と同様になまりが生じていることになる。
【００８０】
図１０の例では、同一間隔のハイレベルとローレベルとが５回繰り返される表示調整信号６２ｄのうち、各ハイレベルの期間の１箇所とそれに続く各ローレベルの期間における該１箇所から、ある決められた間隔離れた１箇所がサンプリングポイントになっている。例えば、図１０に示すように、ハイレベルの期間の１箇所がパルスの立ち上がりエッジから所定間隔ずれたポイントである場合、そのハイレベルの期間に続くローレベルの期間の１箇所はパルスの立下りエッジから該所定間隔と同じ間隔ずれたポイントとなる。つまり、本実施例における、ある決められた間隔離れた箇所を、ハイレベルのサンプリングポイントからパルスの立下りエッジまでの間隔と該所定間隔とを合わせた間隔離れた箇所としている。そして、各回毎のサンプリングタイミングは、所定間隔ずれており、例えば、４回目のハイレベルとローレベルのサンプリング値の差分値が最大（コントラストが最大）となり、このタイミングＧが最適タイミングとなる。
【００８１】
なお、実施例４におけるステップＳ５の処理は実施例１又は２と同様であるので、重複した説明を省略する。
【００８２】
この他の例として、例えば、描画部１は、上記ステップＳ１において、生成した画像信号のうち、例えば、Ｒ成分の画像信号の１画面に対応する複数の水平走査ラインにおける信号部分であって、かつ上記画像情報が表示可能な領域に相当する信号部分に、１水平走査ライン毎に信号レベルが反転された表示調整信号（例えば、１表示画素に相当する信号）を重畳し、ステップＳ３において、検出判定部３は、１の水平走査ラインにおける表示調整信号の少なくとも１箇所と次の水平走査ラインにおける表示調整信号の同じタイミングの箇所をサンプリングするものであって、２水平走査ライン毎にサンプリングタイミングを所定間隔ΔＴＳずらしてサンプリングを行い、上記表示調整信号のサンプリング値と、当該表示調整信号と信号レベルが反転する次の表示調整信号との差分値を複数回順次算出し、算出された複数の差分値のうち、最大値（コントラストが最大）となるタイミングを最適タイミングとして検出するように構成してもよい。このサンプリング間隔ΔＴＳは、固定であってもよいし、適宜、操作部等より設定可能にしてもよい。
【００８３】
図１１は、実施例４において、表示調整信号のサンプリングタイミング及び最適タイミングのもう一つの例を示す図である。なお、図１１において、なまりが生じていない表示調整信号６２ｅを示しているが、実際には、図４等に示す表示調整信号と同様になまりが生じていることになる。
【００８４】
図１１の例では、１０の水平走査ラインにおける信号部分に重畳されたそれぞれの表示調整信号６２ｅの１箇所がサンプリングポイントになっており、当該サンプリングタイミングは、２水平走査ライン毎に所定間隔ΔＴＳずれている。そして、例えば、４番目の組のハイレベルの表示調整信号６２ｅとローレベルの表示調整信号６２ｅのサンプリング値の差分値が最大（コントラストが最大）となり、このタイミングＧが最適タイミングとなる。
【００８５】
以上説明したように、上記実施例４によれば、表示調整信号のサンプリングされた値のうち、最大値又は最小値となるタイミングに基づいて最適タイミングを検出する代わりに、サンプリングされた値の差分値が最大となるタイミングに基づいて最適タイミングを検出し、その最適タイミングに基づいて画像情報に係る各画素の表示タイミングを調整するように構成したので、特に、例えば１水平走査ライン毎に画像信号の信号レベルが反転する場合において、コントラストが最大となるタイミングに画素の表示タイミングを合わせることができ、より鮮明な画像を表示させることができる。
【００８６】
なお、上記第１の実施形態において、表示調整信号は、特に方形波に限定されず、例えば、サイン波、又は三角波であってもよい。この場合も、方形波と同様に、サイン波、又は三角波の基準点（例えば中心点）から当該サイン波、又は三角波の最大点との位相差分だけクロック信号の位相がシフトされることになる。
【００８７】
（第２の実施形態）
次に、図１２等を参照して、本願の第２の実施形態における車載用ナビゲーション装置に含まれる表示制御装置の構成及び機能を説明する。なお、第２実施形態における表示制御装置のうち、第１実施形態における表示制御装置と同様の構成については同一符号を付し、重複する説明を省略するものとする。
【００８８】
図１２は、第２の実施形態にかかる車載用ナビゲーション装置に含まれる表示制御装置の概要ブロック例を示す図である。
【００８９】
図１２に示すように、第２の実施形態にかかる表示制御装置ＳＸ２は、第１の実施形態における表示制御装置ＳＸ１と同様、描画部１、画像（映像）処理部２、検出判定部３、表示制御部４、及び表示部５を備えて構成されているが、調整手段の一例としてのタイミング調整部１ａは、第１の実施形態と異なり描画部１に備えられている。
【００９０】
描画部１は、第１の実施形態と同様の機能の他、更に、タイミング調整部１ａによって、検出判定部３にて検出された最適タイミングに基づいて、表示調整信号が重畳された画像信号の出力タイミングを調整するようになっている。このタイミング調整部１ａによる画像信号の出力タイミングの調整によって、第１の実施形態におけるタイミング調整部４ａにおけるクロック信号の位相の調整と同様、画像情報に係る各画素の表示タイミングが調整されることになる。
【００９１】
画像処理部２及び検出判定部３の機能は、第１の実施形態と同様である。即ち、検出判定部３は、第１の実施形態の実施例１〜４において説明した方法によって、サンプリングした複数の値に基づいて最適タイミングを検出するようになっている。
【００９２】
表示制御部４及び表示部５の機能も、第１の実施形態とほぼ同様であるが、第２実施形態における表示制御部４では、クロック信号の位相の調整は行わない。
【００９３】
次に、図１３等を参照して、上記のように構成された表示制御装置ＳＸ２の動作について実施例５〜８に分けて説明する。図１３は、表示制御装置ＳＸ２における処理の流れを示すフローチャートである（実施例５〜８に共通）。なお、第２の実施形態における表示制御装置ＳＸ２の動作のうち、第１の実施形態における表示制御装置ＳＸ１の動作と同様の部分の説明は、極力省略するものとする。
【００９４】
（実施例５）
この実施例５は、第１の実施形態における実施例１に対応するものである。
【００９５】
実施例５において、図１３に示すステップＳ１１〜Ｓ１３の処理は、実施例１における図３に示すステップＳ１〜Ｓ３の処理と同様である。
【００９６】
実施例５におけるステップＳ１４では、サンプリングされた複数の値のうち、最大値又は最小値となるタイミングを最適タイミングとして検出（第１の実施形態と同様）し、その最適タイミングを示すドットクロック位相調整信号を、表示制御部４ではなく描画部１に出力する。
【００９７】
表示制御部４では、画像処理部２及び検出判定部３からの画像信号、水平同期信号、及び垂直同期信号等を入力しこれらの信号を表示部５に出力する。
【００９８】
そして、実施例５におけるステップＳ１５では、描画部１のタイミング調整部１ａは、検出判定部３からのクロック位相調整信号に基づいて、各画素の信号の最大となるタイミングが、クロック信号と同期するように、画像信号の出力タイミングを調整する。
【００９９】
例えば、図５において、（Ａ）に示す画像信号の位相が、表示調整信号６２の基準点のタイミングと、検出された最適タイミングとの位相差ΔＴ分だけシフトされ、つまり、画像信号の出力タイミングが調整前よりも位相差ΔＴだけ早く出力されるように調整される。
【０１００】
なお、実施例５では、図５の（Ｄ）に示すクロック信号は無いことになる。
【０１０１】
こうして、表示部５には、画像信号に含まれる画像情報に係る各画素の信号６１が最大となるタイミングに同期してクロック信号（例えば図５の（Ｃ）に示すクロック信号）が与えられ、水平ドライバ及び垂直ドライバにより液晶パネル上の各ラインの画素が駆動制御され、液晶パネル上の表示画面により鮮明な画像情報が表示されることになる。
【０１０２】
以上説明したように、上記実施例５によれば、画像信号に重畳された表示調整信号を複数箇所でサンプリングし、そのサンプリングされた複数の値のうち、最大値又は最小値となる最適タイミングを検出して、その最適タイミングに基づいて画像情報に係る各画素の表示タイミングを、画像信号の出力タイミングの調整により、調整するように構成したので、実施例１と同様、例えば伝送線路の長さの影響や、伝送線路の周波数特性の影響等により、画像信号に遅延や、なまり等が生じても、描画部１からの画像信号の出力と表示部への各画素の表示タイミングをより正確に合わせる（一致させる）ことができ、より鮮明な画像を表示させることができる。また、描画ドットの同期する１パルスの表示調整信号の複数箇所でサンプリングを行うことで、より精度の良い最適タイミングを検出することができる。
【０１０３】
（実施例６）
この実施例６は、第１の実施形態における実施例２に対応するものである。即ち、実施例６は、検出判定部３が、最大値又は最小値となるタイミングから予め定められたオフセット量分の位相をシフトさせたタイミングを最適タイミングとして検出する場合の例である。
【０１０４】
この実施例６での表示制御装置ＳＸ２における処理でも図１３に示す処理が適用されるが、図１３に示すステップＳ１１〜Ｓ１３の処理は実施例５と同様である。
【０１０５】
実施例６におけるステップＳ１４では、検出判定部３は、サンプリングされた複数の値のうち、最大値（又は最小値）となるタイミングを検出し、当該検出されたタイミングから予め定められたオフセット量分の位相をシフトさせたタイミングを最適タイミングとして検出し、その最適タイミングを示すドットクロック位相調整信号を、実施例５と同様、描画部１に出力する。
【０１０６】
なお、実施例６におけるステップＳ１５の処理は、実施例５における処理と同様である。
【０１０７】
以上説明したように、上記実施例６によれば、画像信号に重畳された表示調整信号を複数箇所でサンプリングし、そのサンプリングされた複数の値のうち、最大値又は最小値となるタイミングを検出し、当該検出されたタイミングから予め定められたオフセット量分の位相をシフトさせたタイミングを最適タイミングとして検出し、その最適タイミングに基づいて、画像信号の出力タイミングの調整により、画像情報に係る各画素の表示タイミングを調整するように構成したので、例えば伝送線路の長さの影響や、伝送線路の周波数特性の影響等により、画像信号に遅延や、なまり等が生じ、更に、実施例２における（ｉ）から（iii）等の場合の影響で上記最大値又は最小値となるタイミングを最適タイミングとすることが妥当でない場合にも、描画部１からの画像信号の出力と表示部への各画素の表示タイミングをより正確に合わせることができ、より鮮明な画像を表示させることができる。
【０１０８】
（実施例７）
この実施例７は、第１の実施形態における実施例３に対応するものである。即ち、実施例７は、検出判定部３が、複数パルスの信号のそれぞれの箇所でサンプリングし、そのサンプリングされた複数の値に基づいて最適タイミングを検出する場合の例である。
【０１０９】
この実施例７での表示制御装置ＳＸ２における処理でも図１３に示す処理が適用される。実施例７において、図１３に示すステップＳ１１〜Ｓ１３の処理は、実施例３における図３に示すステップＳ１〜Ｓ３の処理と同様である。
【０１１０】
なお、実施例７におけるステップＳ１４及びＳ１５の処理は、実施例５における処理と同様である。
【０１１１】
以上説明したように、上記実施例７によれば、実施例５及び６の１表示画素相当の表示調整信号の複数箇所でサンプリングを行う代わりに、複数の表示調整信号の少なくとも１箇所づつ、サンプリングタイミングをずらしながらサンプリングを行い、そのサンプリングされた複数の値に基づいて最適タイミングとして検出し、その最適タイミングに基づいて、画像信号の出力タイミングの調整により、画像情報に係る各画素の表示タイミングを調整するように構成したので、実施例３と同様、描画部１からの画像信号の出力と表示部への各画素の表示タイミングをより正確に合わせることができ、より鮮明な画像を表示させることができると共に、サンプリング間隔を長くしたり、サンプリング回数を多くすることができ、検出判定部３等の負荷低減等を図ることができる。
【０１１２】
（実施例８）
この実施例８は、第１の実施形態における実施例４に対応するものである。即ち、実施例８は、検出判定部３が、表示調整信号に係る同一間隔のハイレベルとローレベルの期間のそれぞれの箇所でサンプリングし、ハイレベルの期間のサンプリング値とローレベルの期間のサンプリング値との差分値を算出し、算出された複数の差分値のうち、最大値となるタイミングを最適タイミングとして検出する場合の例である。
【０１１３】
この実施例８での表示制御装置ＳＸ２における処理でも図１３に示す処理が適用される。実施例８において、図１３に示すステップＳ１１〜Ｓ１３の処理は、実施例４における図３に示すステップＳ１〜Ｓ３の処理と同様である。
【０１１４】
そして、実施例８におけるステップＳ１４では、検出判定部３は、各回毎のハイレベルの期間のサンプリング値とローレベルの期間のサンプリング値との差分値を算出し、算出された複数の差分値のうち、最大値（コントラストが最大）となるタイミングを最適タイミングとして検出し、その最適タイミングを示すドットクロック位相調整信号を描画部１に出力する。
【０１１５】
なお、検出判定部３は、実施例４と同様に、算出された複数の差分値のうち、最大値となるタイミングを検出し、当該検出されたタイミングから予め定められたオフセット量分の位相をシフトさせたタイミングを最適タイミングとして検出するように構成してもよい。
【０１１６】
なお、実施例８におけるステップＳ１５の処理は、実施例５における処理と同様である。
【０１１７】
以上説明したように、上記実施例８によれば、表示調整信号のサンプリングされた値のうち、最大値又は最小値となるタイミングに基づいて最適タイミングを検出する代わりに、サンプリングされた値の差分値が最大となるタイミングに基づいて最適タイミングを検出し、その最適タイミングに基づいて、画像信号の出力タイミングの調整により、画像情報に係る各画素の表示タイミングを調整するように構成したので、実施例４と同様、特に、例えば１水平走査ライン毎に画像信号の信号レベルが反転する場合において、コントラストが最大となるタイミングに画素の表示タイミングを合わせることができ、より鮮明な画像を表示させることができる。
【０１１８】
なお、上記第２の実施形態においても、表示調整信号は、特に方形波に限定されず、例えば、サイン波、又は三角波であってもよい。
【０１１９】
また、上記第２実施形態においては、描画部１において画像信号の出力タイミングを調整するように構成したが、その他の部分、例えば、画像処理部２、検出判定部３、又は表示制御部４において、クロック信号が各画素の信号の最大となるタイミングと同期するように画像信号の出力タイミングを調整するように構成してもよい。
【０１２０】
なお、上記第１及び第２の実施形態において、描画部１、画像処理部２、検出判定部３、及び表示制御部４は、半導体素子等からなる比較回路及び論理回路等のハードウェアによって構成されてもよいし、これらの各構成部分の全部又は一部がＣＰＵによって実行されるソフトウェアによって構成（つまり、ＣＰＵが、例えば予めＲＯＭ等に記憶部に記憶（インターネット等のネットワークに接続されたサーバからダウンロード、或いはフレキシブルディスク等から読み込まれて記憶されてもよい）された表示制御プログラムを実行することにより、本願の表示調整信号重畳手段、検出手段、及び調整手段として機能）されてもよい。
【０１２１】
また、上記第１及び第２の実施形態において、表示調整信号は、ＲＧＢのどの色成分の画像信号に重畳されてもよく、ＲＧＢのどの色成分の画像信号以外の例えば、輝度信号（ＹＵＶの場合）、同期信号（例えば垂直同期信号や水平同期信号）、又はコンポジット信号に重畳されるように構成してもよい。
【０１２２】
また、上記第１及び第２の実施形態においては、表示調整信号は、画像信号の水平走査ラインにおける表示部５の表示画面外の領域に相当する信号部分であって、かつ上記画像情報を表示可能な領域に相当する信号部分に重畳されるように構成したが、これに限定されるものではなく、例えば描画可能エリア５２外かつ信号エリア５３内の表示画像に寄与しない領域に相当する垂直帰線期間内の水平走査ラインにおける信号部分に表示調整信号が重畳されるように構成してもよい。
【０１２３】
また、上記第１及び第２の実施形態においては、一つの信号（例えば、Ｒ成分の画像信号）に表示調整信号が重畳されるように構成したが、これに限定されるものではなく、複数の信号に表示調整信号が重畳されるように構成してもよい。例えば表示調整信号がＲＧＢの各色成分に対応する画像信号の全てに同期して重畳され、各表示調整信号が複数箇所でサンプリングされ、全てのサンプリング値のうち最大（例えば、ＲＧＢの各色成分に対応する表示調整信号のうち、Ｇ成分に対応する表示調整信号の最大）となるタイミングが検出し、そのタイミングに基づいて、上述したように画像情報に係る各画素の表示タイミングが調整されるように構成してもよい。
【０１２４】
また、例えば表示調整信号がＲＧＢの各色成分に対応する画像信号の全てに同期して重畳され、各表示調整信号が複数箇所でサンプリングされ、サンプリングされた複数の値のうち画像信号毎に最大となる値が求められ、求められた値の平均となるタイミングが検出され、そのタイミングに基づいて、上述したように画像情報に係る各画素の表示タイミングが調整されるように構成してもよい。このように構成すれば、例えば各画像信号間の周波数特性等が異なり各画像信号における画素の信号の最大が異なる場合にも、各画像信号間の画像の表示タイミングの整合を図ることができる。
【０１２５】
更にまた、例えば表示調整信号がＲＧＢの各色成分に対応する画像信号の全てに同期して重畳され、各表示調整信号が複数箇所でサンプリングされ、画像信号毎に最大となるタイミングが検出され、画像信号毎に検出されたタイミングに基づいて、各画像信号間の各画素の表示タイミングが調整されるように構成してもよい。つまり、画像信号毎に検出されたタイミングのうち何れかのタイミングに基づいて、各画像信号に重畳された表示調整信号が最大となるタイミングが一致するように、各色成分に対応する画像信号の位相が調整される。このように構成すれば、例えば各画像信号間の周波数特性等が異なり各画像信号における画素の信号の最大となるタイミングが若干ずれる場合にも、これを一致させ、より一層、鮮明な画像情報を表示することができる。
【０１２６】
また、上記第１及び第２の実施形態においては、検出判定部３を画像処理部２と表示制御部４との間に設けるように構成したが、例えば表示制御部４と表示部５との間に設けるように構成してもよい。
【０１２７】
また、上記第１及び第２の実施形態において、本願は車載用ナビゲーション装置に対して適用される場合の例を示したが、これに限定されるものではなく、ＴＶ(テレビジョン)映像、ビデオ映像等を表示する表示装置に対して適用してもよい。この場合、例えばＴＶ映像等のアナログ信号を信号処理して加工する際に、上記と同様に、画像信号の水平走査ラインにおける表示部５の表示画面外の領域に相当する信号部分であって、かつ上記画像情報を表示可能な領域に相当する信号部分に表示調整信号が重畳される。
【０１２８】
また、上記第１及び第２実施形態においては、表示画面の一例として液晶パネルを適用したが、これに限定されるものではなく、プラズマディスプレイ（ＰＤＰ）、有機ＥＬパネル、ＣＲＴ等の画素表示する表示画面を有するパネルであれば如何なるものに対しても適用可能である。
【図面の簡単な説明】
【０１２９】
【図１】本実施形態にかかる車載用ナビゲーション装置に含まれる表示制御装置の概要ブロック例を示す図である。
【図２】表示部５の表示画面内外の領域と画像信号（例えば、Ｒ成分の画像信号）との関係を示す概念図である。
【図３】表示制御装置ＳＸ１における処理の流れを示すフローチャートである。
【図４】実施例１において、表示調整信号のサンプリングタイミング及び最適タイミングの一例を示す図である。
【図５】実施例１において、画像信号とクロック信号の位相関係の一例を示す概念図である。
【図６】実施例２において、表示調整信号のサンプリングタイミング及び最適タイミングの一例を示す図である。
【図７】実施例２において、画像信号とクロック信号の位相関係の一例を示す概念図である。
【図８】実施例３において、表示調整信号のサンプリングタイミング及び最適タイミングの一例を示す図である。
【図９】実施例３において、表示調整信号のサンプリングタイミング及び最適タイミングのもう一つの例を示す図である。
【図１０】実施例４において、表示調整信号のサンプリングタイミング及び最適タイミングの一例を示す図である。
【図１１】実施例４において、表示調整信号のサンプリングタイミング及び最適タイミングのもう一つの例を示す図である。
【図１２】第２の実施形態にかかる車載用ナビゲーション装置に含まれる表示制御装置の概要ブロック例を示す図である。
【図１３】表示制御装置ＳＸ２における処理の流れを示すフローチャートである。
【符号の説明】
【０１３０】
１  描画部
１ａ  タイミング調整部
２  画像処理部
３  検出判定部
４  表示制御部
４ａ  タイミング調整部
５  表示部
ＳＸ１、ＳＸ２  表示制御装置
【図１】
2005173395.tif 000003
【図２】
2005173395.tif 000004
【図３】
2005173395.tif 000005
【図４】
2005173395.tif 000006
【図５】
2005173395.tif 000007
【図６】
2005173395.tif 000008
【図７】
2005173395.tif 000009
【図８】
2005173395.tif 000010
【図９】
2005173395.tif 000011
【図１０】
2005173395.tif 000012
【図１１】
2005173395.tif 000013
【図１２】
2005173395.tif 000014
【図１３】
2005173395.tif 000015